(57)【要約】【課題】ユーザが認識せずとも、必要に応じて履歴画像を作成、管理することが可能な画像処理プログラム、指示装置、処理装置、および画像処理システムを提供する。【解決手段】クライアントＰＣ２のジョブ生成手段２００は、画像データを含む印刷ジョブ（画像処理指示）を生成し、履歴画像作成手段２０１は、画像処理指示に特定の指示内容が含まれているとき、印刷ジョブの実行記録として画像データからの履歴画像の作成を指示し、付随情報付加手段２０２は、履歴画像作成指示情報を印刷ジョブに付加し、ジョブ送信手段２０３は、プリンタ３に印刷ジョブを送信し、プリンタ３は、印刷ジョブを実行するとともに、履歴画像を作成し、履歴画像をサーバ４に送信する。【選択図】図１
2008123201.tif 000002
【特許請求の範囲】
【請求項１】
画像データを含む画像処理指示を生成する生成ステップと、
前記画像処理指示に特定の指示内容が含まれているとき、前記画像処理指示の実行記録として前記画像データからの履歴画像の作成を指示する指示ステップとをコンピュータに実行させるための画像処理プログラム。
【請求項２】
画像データを含む画像処理指示を生成する生成ステップと、
前記画像処理指示に特定の指示内容が含まれていないとき、前記画像処理指示の実行記録として前記画像データからの履歴画像の作成の禁止を指示する指示ステップとをコンピュータに実行させるための画像処理プログラム。
【請求項３】
画像データを含む画像処理指示を生成する生成ステップと、
前記画像処理指示に特定の指示内容が含まれているとき、前記画像処理指示の実行記録として前記画像データからの履歴画像の作成を指示する情報を前記画像処理指示に付加する付加ステップと、
前記情報が付加された前記画像処理指示を、前記画像処理指示を実行する処理装置に送信する送信ステップとをコンピュータに実行させるための画像処理プログラム。
【請求項４】
画像データを含む画像処理指示を生成する生成ステップと、
前記画像処理指示に特定の指示内容が含まれていないとき、前記画像処理指示の実行記録として前記画像データからの履歴画像の作成の禁止を指示する情報を前記画像処理指示に付加する付加ステップと、
前記情報が付加された前記画像処理指示を、前記画像処理指示を実行する処理装置に送信する送信ステップとをコンピュータに実行させるための画像処理プログラム。
【請求項５】
画像データを含む画像処理指示を生成する生成ステップと、
前記画像処理指示に特定の指示内容が含まれているとき、前記画像処理指示の実行記録として前記画像データから履歴画像を作成する作成ステップと、
前記画像処理指示を、前記画像処理指示を実行する処理装置に送信する送信ステップとをコンピュータに実行させるための画像処理プログラム。
【請求項６】
画像データを含む画像処理指示を生成する生成ステップと、
前記画像処理指示を実行する実行ステップと、
前記画像処理指示に特定の指示内容が含まれているとき、前記画像処理指示の実行記録として前記画像データから履歴画像を作成する作成ステップとをコンピュータに実行させるための画像処理プログラム。
【請求項７】
前記特定の指示内容は、前記画像データに対して重要度を「高」に設定することである請求項１乃至６のいずれか１項に記載の画像処理プログラム。
【請求項８】
前記特定の指示内容は、前記画像データに対応した識別情報の入力によって印刷を行うセキュリティプリントである請求項１乃至６のいずれか１項に記載の画像処理プログラム。
【請求項９】
前記特定の指示内容は、特定のフォームに前記画像データとしてバリアブルデータを埋め込んで印刷を行うバリアブル印刷である請求項１乃至６のいずれか１項に記載の画像処理プログラム。
【請求項１０】
画像データを含む画像処理指示を生成する生成手段と、
前記画像処理指示に特定の指示内容が含まれているとき、前記画像処理指示の実行記録として前記画像データからの履歴画像の作成を指示する指示手段とを備えたことを特徴とする指示装置。
【請求項１１】
画像データを含む画像処理指示を生成する生成手段と、
前記画像処理指示に特定の指示内容が含まれていないとき、前記画像処理指示の実行記録として前記画像データからの履歴画像の作成の禁止を指示する指示手段とを備えたことを特徴とする指示装置。
【請求項１２】
画像データを含む画像処理指示を生成する生成手段と、
前記画像処理指示に特定の指示内容が含まれているとき、前記画像処理指示の実行記録として前記画像データからの履歴画像の作成を指示する情報を前記画像処理指示に付加する付加手段と、
前記情報が付加された前記画像処理指示を、前記画像処理指示を実行する処理装置に送信する送信手段とを備えたことを特徴とする指示装置。
【請求項１３】
画像データを含む画像処理指示を生成する生成手段と、
前記画像処理指示に特定の指示内容が含まれていないとき、前記画像処理指示の実行記録として前記画像データからの履歴画像の作成の禁止を指示する情報を前記画像処理指示に付加する付加手段と、
前記情報が付加された前記画像処理指示を、前記画像処理指示を実行する処理装置に送信する送信手段とを備えたことを特徴とする指示装置。
【請求項１４】
画像データを含む画像処理指示を生成する生成手段と、
前記画像処理指示に特定の指示内容が含まれているとき、前記画像処理指示の実行記録として前記画像データから履歴画像を作成する作成手段と、
前記画像処理指示を処理装置に送信する送信手段とを備えたことを特徴とする指示装置。
【請求項１５】
前記特定の指示内容は、前記画像データに対して重要度を「高」に設定することである請求項１０乃至１１のいずれか１項に記載の指示装置。
【請求項１６】
前記特定の指示内容は、前記画像データに対応した識別情報の入力によって印刷を行うセキュリティプリントである請求項１０乃至１１のいずれか１項に記載の指示装置。
【請求項１７】
前記特定の指示内容は、特定のフォームに前記画像データとしてバリアブルデータを埋め込んで印刷を行うバリアブル印刷である請求項１０乃至１１のいずれか１項に記載の指示装置。
【請求項１８】
画像データを含む画像処理指示を生成する生成手段と、
前記画像処理指示を実行する実行手段と、
前記処理指示の実行記録として前記画像データから前記履歴画像を作成する作成手段と、
前記処理指示に特定の指示内容が含まれているとき、前記履歴画像を作成するように前記作成手段を制御する制御手段とを備えたことを特徴とする処理装置。
【請求項１９】
前記特定の指示内容は、前記画像データに対して重要度を「高」に設定することである請求項１８に記載の処理装置。
【請求項２０】
前記特定の指示内容は、前記画像に対応した識別情報の入力によって印刷を行うセキュリティプリントである請求項１８に記載の処理装置。
【請求項２１】
前記特定の指示内容は、特定のフォームに前記画像データとしてバリアブルデータを埋め込んで印刷を行うバリアブル印刷である請求項１８に記載の処理装置。
【請求項２２】
画像データを含む画像処理指示を生成する生成手段と、前記画像処理指示に特定の指示内容が含まれているとき、前記画像処理指示の実行記録として前記画像データからの履歴画像の作成を指示する情報を前記画像処理指示に付加する付加手段と、前記情報が付加された前記画像処理指示を送信する送信手段とを備えた指示装置と、
前記指示装置の前記送信手段から送信された前記画像処理指示を実行する実行手段と、前記履歴画像を作成する作成手段と、前記画像処理指示に前記情報が付加されているとき、前記履歴画像を作成するように前記作成手段を制御する制御手段と、前記履歴画像を送信する送信手段とを備えた処理装置と、
前記指示装置の前記送信手段から送信された前記履歴画像を記憶する記憶手段を備えた管理装置とを具備することを特徴とする画像処理システム。
【請求項２３】
画像データを含む画像処理指示を生成する生成手段と、前記画像処理指示に特定の指示内容が含まれているとき、前記画像処理指示の実行記録として履歴画像を作成する作成手段と、前記画像処理指示を送信する第１の送信手段と、前記履歴画像を送信する第２の送信手段とを備えた指示装置と、
前記指示装置の前記第１の送信手段から送信された前記画像処理指示を実行する実行手段を備えた処理装置と、
前記指示装置の前記第２の送信手段から送信された前記履歴画像を記憶する記憶手段を備えた管理装置とを具備することを特徴とする画像処理システム。
【請求項２４】
画像データを含む画像処理指示を生成する生成手段と、前記画像処理指示を実行する実行手段と、前記画像処理指示の実行記録として前記画像データから履歴画像を作成する作成手段と、前記画像処理指示に特定の指示内容が含まれているとき、前記履歴画像を作成するように前記作成手段を制御する制御手段と、前記履歴画像を送信する送信手段とを備えた処理装置と、
前記処理装置の前記送信手段から送信された前記履歴画像を記憶する記憶手段を備えた管理装置とを具備することを特徴とする画像処理システム。
【発明の詳細な説明】
【技術分野】
【０００１】
本発明は、コピー、プリント、スキャン、ファックス等のジョブ（画像処理指示）で扱った画像データから履歴画像を作成、管理する画像処理プログラム、指示装置、処理装置、および画像処理システムに関する。
【背景技術】
【０００２】
プリンタ等の出力装置から実際に紙等の記録媒体に印字出力された画像イメージを、これに付随する情報とともに履歴画像として保持し、後々参照可能とするプリンタシステムが知られている（例えば、特許文献１参照。）。
【０００３】
このプリンタシステムは、クライアントとプリンタとをネットワークを介して接続したものである。クライアントは、ユーザによって指定された、低解像度ビットマップデータを公開にするか、非公開にするかの情報を付随データとして、プリントデータファイルに付加して、プリンタに送信する。プリンタは、クライアントから送信されたプリントデータファイル内のプリントデータを高解像度ビットマップデータに展開し、高解像度ビットマップデータを用紙にプリントし、ビットマップデータを変換して低解像度画像データを生成し、低解像度画像データをプリントアウト履歴データとして付随データとともに記憶装置に格納する。低解像度画像データの表示要求があると、付随データに低解像度画像データの非公開が設定されていれば、低解像度画像データを表示せず、公開が設定されていれば、低解像度画像データを表示する。これにより、プリントアウト履歴データを少ない容量で格納することができる。
【特許文献１】特開平１０−１８７３６４号公報
【発明の開示】
【発明が解決しようとする課題】
【０００４】
本発明の目的は、ユーザが認識せずとも、必要に応じて履歴画像を作成、管理することが可能な画像処理プログラム、指示装置、処理装置、および画像処理システムを提供することにある。
【課題を解決するための手段】
【０００５】
本発明の実施の態様は、上記目的を達成するため、以下の画像処理プログラム、指示装置、処理装置、および画像処理システムを提供する。
【０００６】
［１］画像データを含む画像処理指示を生成する生成ステップと、前記画像処理指示に特定の指示内容が含まれているとき、前記画像処理指示の実行記録として前記画像データからの履歴画像の作成を指示する指示ステップとをコンピュータに実行させるための画像処理プログラム。
【０００７】
［２］画像データを含む画像処理指示を生成する生成ステップと、前記画像処理指示に特定の指示内容が含まれていないとき、前記画像処理指示の実行記録として前記画像データからの履歴画像の作成の禁止を指示する指示ステップとをコンピュータに実行させるための画像処理プログラム。
【０００８】
［３］画像データを含む画像処理指示を生成する生成ステップと、前記画像処理指示に特定の指示内容が含まれているとき、前記画像処理指示の実行記録として前記画像データからの履歴画像の作成を指示する情報を前記画像処理指示に付加する付加ステップと、前記情報が付加された前記画像処理指示を、前記画像処理指示を実行する処理装置に送信する送信ステップとをコンピュータに実行させるための画像処理プログラム。
【０００９】
［４］画像データを含む画像処理指示を生成する生成ステップと、前記画像処理指示に特定の指示内容が含まれていないとき、前記画像処理指示の実行記録として前記画像データからの履歴画像の作成の禁止を指示する情報を前記画像処理指示に付加する付加ステップと、前記情報が付加された前記画像処理指示を、前記画像処理指示を実行する処理装置に送信する送信ステップとをコンピュータに実行させるための画像処理プログラム。
【００１０】
［５］画像データを含む画像処理指示を生成する生成ステップと、前記画像処理指示に特定の指示内容が含まれているとき、前記画像処理指示の実行記録として前記画像データから履歴画像を作成する作成ステップと、前記画像処理指示を、前記画像処理指示を実行する処理装置に送信する送信ステップとをコンピュータに実行させるための画像処理プログラム。
【００１１】
［６］画像データを含む画像処理指示を生成する生成ステップと、前記画像処理指示を実行する実行ステップと、前記画像処理指示に特定の指示内容が含まれているとき、前記画像処理指示の実行記録として前記画像データから履歴画像を作成する作成ステップとをコンピュータに実行させるための画像処理プログラム。
【００１２】
［７］前記特定の指示内容は、前記画像データに対して重要度を「高」に設定することである前記［１］乃至［６］のいずれかに記載の画像処理プログラム。
【００１３】
［８］前記特定の指示内容は、前記画像データに対応した識別情報の入力によって印刷を行うセキュリティプリントである前記［１］乃至［６］のいずれかに記載の画像処理プログラム。
【００１４】
［９］前記特定の指示内容は、特定のフォームに前記画像データとしてバリアブルデータを埋め込んで印刷を行うバリアブル印刷である前記［１］乃至［６］のいずれかに記載の画像処理プログラム。
【００１５】
［１０］画像データを含む画像処理指示を生成する生成手段と、前記画像処理指示に特定の指示内容が含まれているとき、前記画像処理指示の実行記録として前記画像データからの履歴画像の作成を指示する指示手段とを備えたことを特徴とする指示装置。
【００１６】
［１１］画像データを含む画像処理指示を生成する生成手段と、前記画像処理指示に特定の指示内容が含まれていないとき、前記画像処理指示の実行記録として前記画像データからの履歴画像の作成の禁止を指示する指示手段とを備えたことを特徴とする指示装置。
【００１７】
［１２］画像データを含む画像処理指示を生成する生成手段と、前記画像処理指示に特定の指示内容が含まれているとき、前記画像処理指示の実行記録として前記画像データからの履歴画像の作成を指示する情報を前記画像処理指示に付加する付加手段と、前記情報が付加された前記画像処理指示を、前記画像処理指示を実行する処理装置に送信する送信手段とを備えたことを特徴とする指示装置。
【００１８】
［１３］画像データを含む画像処理指示を生成する生成手段と、前記画像処理指示に特定の指示内容が含まれていないとき、前記画像処理指示の実行記録として前記画像データからの履歴画像の作成の禁止を指示する情報を前記画像処理指示に付加する付加手段と、前記情報が付加された前記画像処理指示を、前記画像処理指示を実行する処理装置に送信する送信手段とを備えたことを特徴とする指示装置。
【００１９】
［１４］画像データを含む画像処理指示を生成する生成手段と、前記画像処理指示に特定の指示内容が含まれているとき、前記画像処理指示の実行記録として前記画像データから履歴画像を作成する作成手段と、前記画像処理指示を処理装置に送信する送信手段とを備えたことを特徴とする指示装置。
【００２０】
［１５］前記特定の指示内容は、前記画像データに対して重要度を「高」に設定することである前記［１０］乃至［１１］のいずれかに記載の指示装置。
【００２１】
［１６］前記特定の指示内容は、前記画像データに対応した識別情報の入力によって印刷を行うセキュリティプリントである前記［１０］乃至［１１］のいずれかに記載の指示装置。
【００２２】
［１７］前記特定の指示内容は、特定のフォームに前記画像データとしてバリアブルデータを埋め込んで印刷を行うバリアブル印刷である前記［１０］乃至［１１］のいずれかに記載の指示装置。
【００２３】
［１８］画像データを含む画像処理指示を生成する生成手段と、前記画像処理指示を実行する実行手段と、前記処理指示の実行記録として前記画像データから前記履歴画像を作成する作成手段と、前記処理指示に特定の指示内容が含まれているとき、前記履歴画像を作成するように前記作成手段を制御する制御手段とを備えたことを特徴とする処理装置。
【００２４】
［１９］前記特定の指示内容は、前記画像データに対して重要度を「高」に設定することである前記［１８］に記載の処理装置。
【００２５】
［２０］前記特定の指示内容は、前記画像に対応した識別情報の入力によって印刷を行うセキュリティプリントである前記［１８］に記載の処理装置。
【００２６】
［２１］前記特定の指示内容は、特定のフォームに前記画像データとしてバリアブルデータを埋め込んで印刷を行うバリアブル印刷である前記［１８］に記載の処理装置。
【００２７】
［２２］画像データを含む画像処理指示を生成する生成手段と、前記画像処理指示に特定の指示内容が含まれているとき、前記画像処理指示の実行記録として前記画像データからの履歴画像の作成を指示する情報を前記画像処理指示に付加する付加手段と、前記情報が付加された前記画像処理指示を送信する送信手段とを備えた指示装置と、前記指示装置の前記送信手段から送信された前記画像処理指示を実行する実行手段と、前記履歴画像を作成する作成手段と、前記画像処理指示に前記情報が付加されているとき、前記履歴画像を作成するように前記作成手段を制御する制御手段と、前記履歴画像を送信する送信手段とを備えた処理装置と、前記指示装置の前記送信手段から送信された前記履歴画像を記憶する記憶手段を備えた管理装置とを具備することを特徴とする画像処理システム。
【００２８】
［２３］画像データを含む画像処理指示を生成する生成手段と、前記画像処理指示に特定の指示内容が含まれているとき、前記画像処理指示の実行記録として履歴画像を作成する作成手段と、前記画像処理指示を送信する第１の送信手段と、前記履歴画像を送信する第２の送信手段とを備えた指示装置と、前記指示装置の前記第１の送信手段から送信された前記画像処理指示を実行する実行手段を備えた処理装置と、前記指示装置の前記第２の送信手段から送信された前記履歴画像を記憶する記憶手段を備えた管理装置とを具備することを特徴とする画像処理システム。
【００２９】
［２４］画像データを含む画像処理指示を生成する生成手段と、前記画像処理指示を実行する実行手段と、前記画像処理指示の実行記録として前記画像データから履歴画像を作成する作成手段と、前記画像処理指示に特定の指示内容が含まれているとき、前記履歴画像を作成するように前記作成手段を制御する制御手段と、前記履歴画像を送信する送信手段とを備えた処理装置と、前記処理装置の前記送信手段から送信された前記履歴画像を記憶する記憶手段を備えた管理装置とを具備することを特徴とする画像処理システム。
【発明の効果】
【００３０】
請求項１、２に係る画像処理プログラムによれば、ユーザは、画像処理指示を行う際、特定の指示を行うことにより、履歴画像が作成され、ユーザが認識せずとも、必要に応じて実行記録用画像を作成、管理することが可能となる。また、履歴画像の記憶容量を少なくすることができる。
【００３１】
請求項３、４に係る画像処理プログラムによれば、請求項１、２の効果に加えて、処理装置に対する指示が簡素化される。
【００３２】
請求項５に係る画像処理プログラムによれば、請求項１、２の効果に加えて、履歴画像の作成機能を有していない処理装置を用いることができる。
【００３３】
請求項６に係る画像処理プログラムによれば、請求項１、２の効果に加えて、画像処理指示を行う指示装置と画像処理指示を実行する処理装置とを一体化した装置に適用することができる。
【００３４】
請求項７に係る画像処理プログラムによれば、重要度の高い画像データについて履歴画像を作成することができる。
請求項８に係る画像処理プログラムによれば、セキュリティプリントで扱った画像データについて履歴画像を作成することができる。
請求項９に係る画像処理プログラムによれば、バリアブル印刷で扱った画像データについて履歴画像を作成することができる。
【００３５】
請求項１０、１１に係る指示装置によれば、ユーザは、画像処理指示を行う際、特定の指示を行うことにより、履歴画像が作成され、ユーザが認識せずとも、必要に応じて実行記録用画像を作成、管理することが可能となる。また、履歴画像の記憶容量を少なくすることができる。
【００３６】
請求項１２、１３に係る指示装置によれば、請求項１０、１１の効果に加えて、処理装置に対する指示が簡素化される。
【００３７】
請求項１４に係る指示装置によれば、請求項１０、１１の効果に加えて、履歴画像の作成機能を有していない処理装置を用いることができる。
【００３８】
請求項１５に係る指示装置によれば、重要度の高い画像データについて履歴画像を作成することができる。
請求項１６に係る指示装置によれば、セキュリティプリントで扱った画像データについて履歴画像を作成することができる。
請求項１７に係る指示装置によれば、バリアブル印刷で扱った画像データについて履歴画像を作成することができる。
【００３９】
請求項１８に係る処理装置によれば、ユーザは、画像処理指示を行う際、特定の指示を行うことにより、履歴画像が作成され、ユーザが認識せずとも、必要に応じて実行記録用画像を作成、管理することが可能となる。また、履歴画像の記憶容量を少なくすることができる。さらに、画像処理指示を行う指示装置と画像処理指示を実行する処理装置とを一体化することができ、システムを簡素化することができる。
【００４０】
請求項１９に係る処理装置によれば、重要度の高い画像データについて履歴画像を作成することができる。
請求項２０に係る処理装置によれば、セキュリティプリントで扱った画像データについて履歴画像を作成することができる。
請求項２１に係る処理装置によれば、バリアブル印刷で扱った画像データについて履歴画像を作成することができる。
【００４１】
請求項２２に係る画像処理システムによれば、ユーザは、画像処理指示を行う際、特定の指示を行うことにより、履歴画像が作成され、ユーザが認識せずとも、必要に応じて実行記録用画像を作成、管理することが可能となる。また、管理装置における履歴画像の記憶容量を少なくする。
【００４２】
請求項２３に係る画像処理システムによれば、請求項２２の効果に加えて、処理装置として履歴画像の作成機能を有していないものを用いることができる。
【００４３】
請求項２４に係る画像処理システムによれば、請求項２２の効果に加えて、画像処理指示を行う指示装置と画像処理指示を実行する処理装置とを一体化することができ、システムを簡素化することができる。
【発明を実施するための最良の形態】
【００４４】
［第１の実施の形態］
図１は、本発明の第１の実施の形態に係る画像処理システムを示す。この画像処理システム１は、画像処理指示を生成する指示装置としてのクライアントパーソナルコンピュータ（以下「クライアントＰＣ」という。）２と、画像処理指示を実行するとともに必要に応じて履歴画像を作成する処理装置としてのプリンタ３と、履歴画像を保存、管理する管理装置としてのサーバ４と、クライアントＰＣ２、プリンタ３、およびサーバ４を接続するＬＡＮ（ローカルエリアネットワーク）、インターネット等のネットワーク５とから構成されている。なお、図１では、クライアントＰＣ２、およびプリンタ３は、それぞれ１台を示すが、２台以上でもよい。
【００４５】
「画像処理指示」とは、画像処理を処理装置（処理部）に指示することをいい、具体的には、画像データに、画像データの処理指示の内容を指示属性として付加して処理装置（処理部）に送信（指示）することをいい、例えば、コピー、プリント、スキャン、ファックス等の単一のジョブや、複数の単一ジョブが連続または並行して実行されるジョブフローが含まれる。本実施の形態では、ジョブとして印刷ジョブ（プリントジョブ）について説明する。
【００４６】
「履歴画像」は、ジョブの実行記録としてジョブで扱われた画像からジョブの実行前、実行中または実行後に作成されるものである。本実施の形態では、ジョブ実行後に履歴画像を作成する場合について説明する。履歴画像として、例えば、ジョブで扱われた画像の画素数を減らした画像、カラー画像を少ない色数またはグレースケールに変換した画像、複数の画像から選択した１または２以上の画像、またはジョブで扱われた全ての画像等が用いられる。
【００４７】
「処理装置」としては、上記プリンタ３の他に、複合機、複写機、スキャナ、ファクシミリ装置等が含まれる。複合機とは、コピー、プリント、スキャン、ファックス等の複数の機能を有するものをいい、単一のユニットのみならず、各機能に対応した複数のユニットからなるものも含まれる。
【００４８】
（クライアントＰＣ）
クライアントＰＣ２は、ＣＰＵ２０と、各種のプログラムやデータを記憶するＨＤＤ等からなる記憶部２１と、キーボード，マウス等を備えた入力部２２と、設定画面等を表示するＬＣＤ(Liquid Crystal Display)等の表示部２３と、ネットワーク５に接続された通信インタフェース（Ｉ／Ｆ）２４とを有する。
【００４９】
記憶部２１には、データファイル用のアプリケーション２１０や、プリンタ３を駆動するとともに、履歴画像を管理するための図３に示すようなプリンタドライバ（画像処理プログラム）２１１等のプログラムが格納されている。画像処理プログラムは、本実施の形態では、その全部がプリンタドライバ２１１に含まれているが、一部がアプリケーションに含まれていてもよい。
【００５０】
ＣＰＵ２０は、記憶部２１に記憶されているプリンタドライバ２１１に従って動作することにより、印刷ジョブを生成するジョブ生成手段２００、印刷ジョブに特定の指示内容が含まれていたとき、履歴画像の作成を指示する履歴画像作成指示手段２０１、印刷ジョブに付随情報を付加してジョブファイルを生成する付随情報付加手段２０２、ジョブファイルを送信するジョブ送信手段２０３等として機能する。
【００５１】
なお、本明細書において「特定の指示内容」とは、履歴画像の作成を直接指示するものではないが、ユーザが印刷ジョブを実行させる際に指示する内容の中で履歴画像の作成が必要とされるような指示内容をいう。
【００５２】
（プリンタ）
プリンタ３は、ＣＰＵ３０と、図３に示すようなプリンタ制御プログラム３１０等のプログラムやデータを記憶するＨＤＤ等の記憶部３１と、印字部３２と、ネットワーク５に接続された通信インタフェース（Ｉ／Ｆ）３３とを有する。
【００５３】
ＣＰＵ３０は、記憶部３１に記憶されたプリンタ制御プログラム３１０に従って動作することにより、ジョブファイルを受信するジョブ受信手段３００、ジョブファイル中のデータから印字出力用イメージを作成する印字出力用イメージ作成手段３０１、印刷ジョブの付随情報に履歴画像の作成を指示する情報が含まれていたとき、印字出力用イメージから履歴画像を作成する履歴画像作成手段３０２、履歴画像ファイルを送信する履歴画像送信手段３０３等として機能する。
【００５４】
印字部３２は、印字出力用イメージ作成手段３０１から出力された印字出力用イメージを紙等の記録媒体に印字するものであり、電子写真方式、インクジェット方式、感熱転写方式等の各種の方式を用いることができる。
【００５５】
（サーバ）
サーバ４は、ＣＰＵ４０と、各種のプログラムやデータを記憶するＨＤＤ等の記憶部４１と、キーボード，マウス等を備えた入力部４２と、ＬＣＤ等の表示部４３と、ネットワーク５に接続された通信インタフェース（Ｉ／Ｆ）４４とを備える。
【００５６】
記憶部４１には、サーバ制御プログラム４１０等のプログラムや、プリンタ３から送信される履歴画像ファイル４１１が格納される。
【００５７】
ＣＰＵ４０は、記憶部４１に記憶されているサーバ制御プログラム４１０に従って動作することにより、履歴画像を受信する履歴画像受信手段４００、履歴画像ファイルに履歴画像ＩＤを付加するＩＤ付加手段４０１、履歴画像ファイルを記憶部４１に格納する履歴画像格納手段４０２等として機能する。
【００５８】
（画像処理システムの動作）
次に、本実施の形態に係る画像処理システム１の動作を図１、図２を参照し、図３のフローチャートに従って説明する。
【００５９】
（１）印刷ジョブの生成
ユーザは、クライアントＰＣ２の入力部２２を操作して記憶部２１に記憶されているアプリケーション２１０を起動し、印刷メニューを表示部２３に表示する。ユーザは、印刷メニューに対して印刷指示を行う。ジョブ生成手段２００は、アプリケーション２１０から受け取ったデータファイルをプリンタ３が解釈可能な言語、例えば、ページ記述言語（ＰＤＬ：Printer Description Language）に変換して印刷ジョブを生成する（Ｓ１０）。
【００６０】
続いて、ジョブ生成手段２００は、印刷設定画面を表示部２３に表示する。
【００６１】
図２は、その印刷設定画面の一例を示す。印刷設定画面１００には、「基本」、「トレイ／排出」、「グラフィックス」、「スタンプ／フォーム」、「詳細設定」のタブ１０１ａ〜１０１ｅが設けられている。なお、１０３ａは、設定画面１００上の設定内容を確定させる「ＯＫ」ボタン、１０３ｂは、設定内容をキャンセルする「キャンセル」ボタンである。
【００６２】
ユーザが、「詳細設定」のタブ１０１ｅを選択すると、図２に示す状態になる。画面１００の中央には、設定項目欄１０２が設けられ、例えば、「文書重要度」の項目１０２ａに対して「高」または「低」が設定できるようになっている。
【００６３】
「文書重要度」に対して「低」が設定された文書データは、例えば、プリンタ３で印刷ジョブを受け付けた順に処理されるが、「高」が設定された文書データは、プリンタ３で優先的に処理される。さらに、本実施の形態では、「文書重要度」に対して「低」が設定された場合は、履歴画像は作成されないが、「高」が設定された場合は、それが特定の指示内容として履歴画像が作成される。
【００６４】
ユーザが、図２に示す画面１００上で「文書重要度」の項目１０２ａに対して「高」または「低」を設定し、「ＯＫ」ボタン１０３ａを選択すると、「文書重要度」に対して「高」または「低」の設定情報が記憶部２１に記憶される。
【００６５】
履歴画像作成指示手段２０１は、「文書重要度」が「高」に設定されているか、「低」に設定されているかを、記憶部２１に記憶されている設定情報を参照して判断する（Ｓ１１）。「文書重要度」が「高」に設定されている場合は、それを特定の指示内容有とし（Ｓ１１：Ｙｅｓ）、履歴画像作成指示手段２０１は、履歴画像を作成するように指示する。
【００６６】
付随情報付加手段２０２は、印刷ジョブに、ジョブに関する指示者（ユーザＩＤ）、ＩＰアドレス、指示日時等の管理情報、および履歴画像作成指示情報を付随情報として付加したジョブファイルを生成する（Ｓ１２）。
【００６７】
「文書重要度」が「低」に設定されている場合は、それを特定の指示内容無とし（Ｓ１１：Ｎｏ）、履歴画像作成指示手段２０１は、履歴画像を作成しないよう指示する。
【００６８】
付随情報付加手段２０２は、印刷ジョブに、上記管理情報を付随情報として付加したジョブファイルを生成する（Ｓ１３）。
【００６９】
ジョブ送信手段２０３は、ジョブファイルを所定の通信プロトコルに従い、通信Ｉ／Ｆ２４によりネットワーク５を介してプリンタ３に送信する（Ｓ１４）。通信プロトコルとしては、例えば、ＦＴＰ(File Transfer Protocol)、ＨＴＴＰ(Hyper Text Transfer Protocol)等を用いることができる。
【００７０】
（２）印刷ジョブの実行、および履歴画像の作成
プリンタ３のジョブ受信手段３００が、クライアントＰＣ２からのジョブファイルを通信Ｉ／Ｆ３３により受信すると（Ｓ２０）、印字出力用イメージ作成手段３０１は、ジョブ内の描画命令を解釈してビットマップデータ等の印字出力用イメージを作成する（Ｓ２１）。
【００７１】
印字部３２は、印字出力用イメージを記録媒体に印字する（Ｓ２２）。履歴画像作成手段３０２は、印刷ジョブの付随情報に履歴画像作成指示情報が含まれているか否かを判断し（Ｓ２３）、含まれている場合は、それを特定の指示内容有とし（Ｓ２３：Ｙｅｓ）、履歴画像作成手段３０２は、印字出力用イメージから履歴画像を作成するとともに、履歴画像とその付随情報からなる履歴画像ファイルを作成する（Ｓ２４）。
【００７２】
履歴画像送信手段３０３は、履歴画像ファイルを所定の通信プロトコルに従い、通信Ｉ／Ｆ３３によりネットワーク５を介してサーバ４に送信する（Ｓ２５）。
【００７３】
印刷ジョブの付随情報に履歴画像の作成指示が含まれていない場合は、それを特定の指示内容無とし（Ｓ２３：Ｎｏ）、履歴画像の作成を行わずに終了する（Ｓ２６）。
【００７４】
（３）履歴画像の保存
サーバ４の履歴画像受信手段４００が、プリンタ３から送られてきた履歴画像ファイルを通信Ｉ／Ｆ４４により受信すると、ＩＤ付加手段４０１は、履歴画像ファイルに履歴画像ファイルを一意に識別する履歴画像ＩＤを付加する。履歴画像格納手段４０２は、ＩＤ付加手段４０１によって履歴画像ＩＤが付加された履歴画像ファイル４１１を記憶部４１に格納する。その後、サーバ４の管理者が入力部４２に履歴画像ＩＤを入力することにより、入力した履歴画像ＩＤに対応する履歴画像が記憶部４１から読み出され、表示部４３に表示される。なお、管理者が管理者ＩＤを用いて自己のＰＣからネットワーク５を介してサーバ４にアクセスして履歴画像を参照してもよい。
【００７５】
［第２の実施の形態］
図４は、本発明の第２の実施の形態に係る画像処理システムのブロック図である。第１の実施の形態では、履歴画像の作成をプリンタ３で行ったが、本実施の形態は、クライアントＰＣ２で行うようにしたものであり、他は第１の実施の形態と同様に構成されている。
【００７６】
（クライアントＰＣ）
クライアントＰＣ２は、第１の実施の形態と同様に、ＣＰＵ２０、記憶部２１、入力部２２、表示部２３、および通信Ｉ／Ｆ２４を有する。
【００７７】
ＣＰＵ２０は、記憶部２１に記憶されている図５のフローチャートに示すようなプリンタドライバ（画像処理プログラム）２１１に従って動作することにより、第１の実施の形態のクライアントＰＣ２と同様の、ジョブ生成手段２００、履歴画像作成指示手段２０１、付随情報付加手段２０２、ジョブ送信手段２０３等として機能する他、第１の実施の形態のプリンタ３と同様の、履歴画像作成手段２０４、履歴画像送信手段２０５等として機能する。
【００７８】
履歴画像作成手段２０４は、ＰＤＬ変換前のデータから履歴画像を作成するとともに、履歴画像とその付随情報からなる履歴画像ファイルを作成する。
【００７９】
（プリンタ）
プリンタ３は、第１の実施の形態と同様に、ＣＰＵ３０、記憶部３１、印字部３２、通信Ｉ／Ｆ３３を有する。
【００８０】
ＣＰＵ３０は、記憶部３１に記憶されたプリンタ制御プログラム３１０に従って動作することにより、第１の実施の形態と同様に、ジョブ受信手段３００、印字出力用イメージ作成手段３０１等として機能するが、本実施の形態では、履歴画像作成手段および履歴画像送信手段としては機能しない。これにより、プリンタとして汎用のものを使用することが可能となり、プリンタのコストを下げることができる。
【００８１】
（画像処理システムの動作）
次に、第２の実施の形態に係る画像処理システム１の動作を図５のフローチャートに従って説明する。
【００８２】
ユーザは、第１の実施の形態と同様に印刷指示を行うと、ジョブ生成手段２００は、アプリケーション２１０から受け取ったデータファイルをプリンタ３が解釈可能な言語、例えば、ＰＤＬに変換して印刷ジョブを生成する（Ｓ３０）。
【００８３】
続いて、ジョブ生成手段２００は、印刷設定画面を表示部２３に表示する。ユーザが、図２に示す画面１００上で「文書重要度」に対して「高」または「低」を設定し、「ＯＫ」ボタン１０３ａを選択すると、「文書重要度」に対して「高」または「低」の設定情報が記憶部２１に記憶される。
【００８４】
履歴画像作成指示手段２０１は、「文書重要度」が「高」に設定されているか、「低」に設定されているかを判断する（Ｓ３１）。「文書重要度」が「高」に設定されている場合は、それを特定の指示内容有とし（Ｓ３１：Ｙｅｓ）、履歴画像作成指示手段２０１は、履歴画像を作成するように指示する。
【００８５】
付随情報付加手段２０２は、印刷ジョブに、ジョブに関する指示者（ユーザＩＤ）、ＩＰアドレス、指示日時等の管理情報、および履歴画像作成指示情報を付随情報として付加したジョブファイルを生成する（Ｓ３２）。
【００８６】
「文書重要度」が「低」に設定されている場合は、それを特定の指示内容無とし（Ｓ３１：Ｎｏ）、履歴画像作成指示手段２０１は、履歴画像を作成しないよう指示する。
【００８７】
付随情報付加手段２０２は、印刷ジョブに、上記管理情報を付随情報として付加したジョブファイルを生成する（Ｓ３３）。
【００８８】
ジョブ送信手段２０３は、ジョブファイルを所定の通信プロトコルに従い、通信Ｉ／Ｆ２４によりネットワーク５を介してプリンタ３に送信する（Ｓ３４）。
【００８９】
プリンタ３のジョブ受信手段３００が、クライアントＰＣ２からのジョブファイルを通信Ｉ／Ｆ３３により受信すると、印字出力用イメージ作成手段３０１は、ジョブ内の描画命令を解釈してビットマップデータ等の印字出力用イメージを作成する。印字部３２は、印字出力用イメージを記録媒体に印字する。
【００９０】
履歴画像作成手段２０４は、印刷ジョブの付随情報に履歴画像作成指示情報が含まれているか否かを判断し（Ｓ３５）、含まれている場合は、それを特定の指示内容有とし（Ｓ３５：Ｙｅｓ）、履歴画像作成手段２０４は、ＰＤＬ変換前のデータから履歴画像を作成するとともに、履歴画像とその付随情報からなる履歴画像ファイルを作成する（Ｓ３６）。
【００９１】
履歴画像送信手段２０５は、履歴画像ファイルを所定の通信プロトコルに従い、通信Ｉ／Ｆ３３によりネットワーク５を介してサーバ４に送信する（Ｓ３７）。
【００９２】
印刷ジョブの付随情報に履歴画像作成指示情報が含まれていない場合は、それを特定の指示内容無とし（Ｓ３５：Ｎｏ）、履歴画像の作成を行わずに終了する（Ｓ３８）。
【００９３】
サーバ４の記憶部４１には、第１の実施の形態と同様に、履歴画像ＩＤが付加された履歴画像ファイル４１１が格納され、管理者の参照に供される。
【００９４】
［第３の実施の形態］
図６は、本発明の第３の実施の形態に係る画像処理システムのブロック図である。第１の実施の形態では、印刷ジョブの実行、および履歴画像の作成をプリンタ３で行ったが、本実施の形態は、それらを複合機で行うようにしたものであり、他は第１の実施の形態と同様に構成されている。
【００９５】
この画像処理システム１は、印刷ジョブを実行するとともに、履歴画像の作成を行う複合機７と、サーバ４と、複合機７とサーバ４を接続するネットワーク５とから構成されている。なお、図６では、複合機７は、１台を示すが、２台以上でもよい。
【００９６】
（複合機）
複合機７は、ＣＰＵ７０と、各種のプログラムやデータを記憶するＨＤＤ等からなる記憶部７１と、キーボード，マウス等を備えた入力部７２と、設定画面等を表示するＬＣＤ等の表示部７３と、ネットワーク５に接続された通信インタフェース（Ｉ／Ｆ）７４と、複合機７が有する機能に対応して設けられ、ジョブを実行する複数のジョブ実行部７５（７５ａ，７５ｂ，…）とを有する。なお、入力部７２および表示部７３は、タッチパネルでもよい。また、ジョブ実行部７５ａは、プリント機能を有するものとする。
【００９７】
ＣＰＵ７０は、記憶部７１に記憶されている図７のフローチャートに示すようなプリンタドライバ（画像処理プログラム）７１１に従って動作することにより、第１の実施の形態のクライアントＰＣ２と同様の、ジョブ生成手段７００、履歴画像作成指示手段７０１、付随情報付加手段７０２等として機能し、第１の実施の形態のプリンタ３と同様の印字出力用イメージ作成手段７０３、履歴画像作成手段７０４、履歴画像送信手段７０５等として機能する。
【００９８】
（画像処理システムの動作）
次に、第３の実施の形態に係る画像処理システム１の動作を図７のフローチャートに従って説明する。
【００９９】
ユーザは、第１の実施の形態と同様に印刷指示を行うと、ジョブ生成手段７００は、アプリケーション７１０から受け取ったデータファイルをジョブ実行部７５ａが解釈可能な言語、例えば、ＰＤＬに変換して印刷ジョブを生成する（Ｓ４０）。
【０１００】
続いて、ジョブ生成手段７００は、印刷設定画面を表示部７３に表示する。ユーザが、図２に示す画面１００上で「文書重要度」に対して「高」または「低」を設定し、「ＯＫ」ボタン１０３ａを選択すると、「文書重要度」に対して「高」または「低」の設定情報が記憶部７１に記憶される。
【０１０１】
履歴画像作成指示手段７０１は、「文書重要度」が「高」に設定されているか、「低」に設定されているかを判断する（Ｓ４１）。「文書重要度」が「高」に設定されている場合は、それを特定の指示内容有として（Ｓ４１：Ｙｅｓ）、履歴画像作成指示手段７０１は、履歴画像を作成するように指示する。
【０１０２】
付随情報付加手段７０２は、印刷ジョブに、ジョブに関する指示者（ユーザＩＤ）、ＩＰアドレス、指示日時等の管理情報、および履歴画像作成指示情報を付随情報として付加したジョブファイルを生成する（Ｓ４２）。
【０１０３】
「文書重要度」が「低」に設定されている場合は、それを特定の指示内容無とし（Ｓ４１：Ｎｏ）、履歴画像作成指示手段７０１は、履歴画像を作成しないよう指示する。
【０１０４】
付随情報付加手段７０２は、印刷ジョブに、上記管理情報を付随情報として付加したジョブファイルを生成する（Ｓ４３）。
【０１０５】
印字出力用イメージ作成手段７０３は、ジョブ内の描画命令を解釈してビットマップデータ等の印字出力用イメージを作成する（Ｓ４４）。ジョブ実行部７５ａは、印字出力用イメージを記録媒体に印字する（Ｓ４５）。
【０１０６】
履歴画像作成手段７０４は、印刷ジョブの付随情報に履歴画像作成指示情報が含まれているか否かを判断し（Ｓ４６）、含まれている場合は、それを特定の指示内容有とし（Ｓ４６：Ｙｅｓ）、履歴画像作成手段７０４は、印字出力用イメージから履歴画像を作成するとともに、履歴画像とその付随情報からなる履歴画像ファイルを作成する（Ｓ４７）。
【０１０７】
履歴画像送信手段７０５は、履歴画像ファイルを所定の通信プロトコルに従い、通信Ｉ／Ｆ３３によりネットワーク５を介してサーバ４に送信する（Ｓ４８）。
【０１０８】
印刷ジョブの付随情報に履歴画像作成指示情報が含まれていない場合は、それを特定の指示内容無とし（Ｓ４６：Ｎｏ）、履歴画像の作成を行わずに終了する（Ｓ４９）。
【０１０９】
サーバ４の記憶部４１には、第１の実施の形態と同様に、履歴画像ＩＤが付加された履歴画像ファイル４１１が格納され、管理者の参照に供される。
【０１１０】
［第４の実施の形態］
次に、本発明の第４の実施の形態に係る画像処理システムについて説明する。第１の実施の形態では、「文書重要度」が「高」に設定されているとき、履歴画像を作成するようにしたが、本実施の形態の画像処理システムは、クライアントＰＣ２にて、セキュリティプリントを指定したとき、プリンタ３で履歴画像を作成するようにしたものであり、他は第１の実施の形態と同様に構成されている。なお、プリンタ３は、テンキー、タッチパネル等の入力部を備える。
【０１１１】
「セキュリティプリント」とは、印刷ジョブ（画像データ）に対応した識別情報をプリンタ３の入力部に入力することにより、印字出力用イメージ作成手段３０１は、印字部３２に印字出力イメージを出力して用紙に印字するものである。なお、識別情報はユーザＩＤでもよい。
【０１１２】
（画像処理システムの動作）
次に、第４の実施の形態の画像処理システム１の動作を図３のフローチャートを参照して説明する。なお、本実施の形態では、ステップＳ２２の印字は、プリント３の入力部に印刷ジョブに対応する識別情報が入力されてから行われる。
【０１１３】
クライアントＰＣ２のジョブ生成手段２００は、ユーザの操作に基づいて印刷ジョブを生成し（Ｓ１０）、印刷設定画面を表示部２３に表示する。
【０１１４】
図８は、その印刷設定画面を示す。この印刷設定画面１００には、「基本」、「トレイ／排出」、「グラフィックス」、「スタンプ／フォーム」、「詳細設定」のタブ１０１ａ〜１０１ｅが設けられている。なお、１０３ａは、設定画面１００上の設定内容を確定させる「ＯＫ」ボタン、１０３ｂは、設定内容をキャンセルする「キャンセル」ボタンである。
【０１１５】
ユーザが、「詳細設定」のタブ１０１ｅを選択すると、図８に示す状態になる。画面１００の中央には、設定項目欄１０２が設けられ、設定項目欄１０２の「セキュリティプリント時イメージログをとる」の項目１０２ｂに対して「する」または「しない」が設定できるようになっている。
【０１１６】
「セキュリティプリント時イメージログをとる」の項目１０２ｂに対して「しない」が設定された文書データは、第１の実施の形態と同様に、リモートでプリンタ３から印字出力される。「する」が設定された文書データは、プリンタ３で識別情報を入力しないと印字出力されない。さらに、本実施の形態では、「セキュリティプリント時イメージログをとる」の項目１０２ｂに対して「しない」が設定された場合は、履歴画像は作成されないが、「する」が設定された場合は、履歴画像が作成される。
【０１１７】
ユーザが、図８に示す画面１００上で「セキュリティプリント時イメージログをとる」の項目１０２ｂに対して「する」または「しない」を設定し、「ＯＫ」ボタン１０３ａを選択すると、それらの設定情報が記憶部２１に記憶される。
【０１１８】
履歴画像作成指示手段２０１は、「セキュリティプリント時イメージログをとる」が「する」に設定されているか、「しない」に設定されているかを、記憶部２１に記憶されている設定情報を参照して判断する（Ｓ１１）。「セキュリティプリント時イメージログをとる」が「する」に設定されている場合は、それを特定の指示内容有とし（Ｓ１１：Ｙｅｓ）、履歴画像作成指示手段２０１は、履歴画像を作成するように指示する。
【０１１９】
付随情報付加手段２０２は、管理情報および履歴画像作成指示情報を付随情報として付加したジョブファイルを生成する（Ｓ１２）。
【０１２０】
「セキュリティプリント時イメージログをとる」が「しない」に設定されている場合は、それを特定の指示内容無とし（Ｓ１１：Ｎｏ）、履歴画像作成指示手段２０１は、履歴画像を作成しないよう指示する。
【０１２１】
付随情報付加手段２０２は、印刷ジョブに、上記管理情報を付随情報として付加したジョブファイルを生成する（Ｓ１３）。
【０１２２】
ジョブ送信手段２０３は、ジョブファイルを所定の通信プロトコルに従いプリンタ３に送信する（Ｓ１４）。
【０１２３】
プリンタ３のジョブ受信手段３００は、クライアントＰＣ２からのジョブファイルを受信すると（Ｓ２０）、印字出力用イメージ作成手段３０１は、ジョブ内の描画命令を解釈してビットマップデータ等の印字出力用イメージを作成する（Ｓ２１）。
【０１２４】
ユーザがプリンタ３の図示しない入力部を操作して印刷ジョブに対応する識別情報を入力すると、印字部３２は、印字出力用イメージを記録媒体に印字するセキュリティプリントを行う（Ｓ２２）。履歴画像作成手段３０２は、印刷ジョブの付随情報に履歴画像作成指示情報が含まれているか否かを判断し（Ｓ２３）、含まれている場合は（Ｓ２３：Ｙｅｓ）、履歴画像作成手段３０２は、印字出力用イメージから履歴画像を作成するとともに、履歴画像とその付随情報からなる履歴画像ファイルを作成する（Ｓ２４）。
【０１２５】
履歴画像送信手段３０３は、履歴画像ファイルを所定の通信プロトコルに従いサーバ４に送信する（Ｓ２５）。印刷ジョブの付随情報に履歴画像の作成指示が含まれていない場合は（Ｓ２３：Ｎｏ）、履歴画像の作成を行わずに終了する（Ｓ２６）。
【０１２６】
サーバ４の記憶部４１には、第１の実施の形態と同様に、履歴画像ＩＤが付加された履歴画像ファイル４１１が格納され、管理者の参照に供される。
【０１２７】
［第５の実施の形態］
次に、本発明の第５の実施の形態に係る画像処理システムについて説明する。第１の実施の形態では、「文書重要度」が「高」に設定されているとき、履歴画像を作成するようにしたが、本実施の形態の画像処理システムは、クライアントＰＣ２にて、特定のフォームを選択してバリアブル印刷を指定したとき、プリンタ３で履歴画像を作成するようにしたものであり、他は第１の実施の形態と同様に構成されている。
【０１２８】
「バリアブル印刷」とは、フォームにバリアブルデータを埋め込んで印刷を行うものである。フォームのデータは、記憶部２１に記憶されている。
【０１２９】
（画像処理システムの動作）
次に、第５の実施の形態の画像処理システム１の動作を図３のフローチャートを参照して説明する。
【０１３０】
クライアントＰＣ２のジョブ生成手段２００は、ユーザの操作に基づいて印刷ジョブを生成し（Ｓ１０）、印刷設定画面を表示部２３に表示する。
【０１３１】
図９は、その印刷設定画面を示す。この印刷設定画面１００には、「基本」、「トレイ／排出」、「グラフィックス」、「スタンプ／フォーム」、「詳細設定」のタブ１０１ａ〜１０１ｅが設けられている。なお、１０３ａは、設定画面１００上の設定内容を確定させる「ＯＫ」ボタン、１０３ｂは、設定内容をキャンセルする「キャンセル」ボタンである。
【０１３２】
ユーザが、「スタンプ／フォーム」のタブ１０１ｄを選択すると、図９に示す状態になる。画面１００の上段には、スタンプを設定するスタンプ設定欄１０４が設けられ、画面１００の下段には、フォームを作成または登録するためのチェックボックス１０５、フォームを指定するためのフォルダ名入力欄１０６、フォーム名入力欄１０７が設けられている。
【０１３３】
ユーザが、図９に示す印刷設定画面１００上でチェックボックス１０５をチェックし、
フォルダ名入力欄１０６にフォームのフォルダ名を入力し、フォーム名入力欄１０７にフォーム名を入力して「ＯＫ」ボタン１０３ａを選択することにより、ｘｆｄというサフィックスを有するフォームファイルとして記憶部２１に保存される。
【０１３４】
次に、ユーザは、詳細設定のタブ１０１ｅを選択すると、ジョブ生成手段２００は、詳細設定に対応する印刷画面を表示部２３に表示する。
【０１３５】
図１０は、その印刷設定画面を示す。この印刷設定画面１００には、「イメージログをフォームで判断」の選択欄１０８に対して「する」または「しない」を選択できるようになっており、フォーム名入力欄１０９が設けられ、「イメージログをとる」の選択欄１１０に対して「とる」または「とらない」を選択できるようになっている。
【０１３６】
ユーザが図１０に示す印刷設定画面１００上で「イメージログをフォームで判断」の選択欄１０８に対して「する」または「しない」を設定し、フォーム名入力欄１０９にフォーム名を入力し、「イメージログをとる」の選択欄１１０に対して「する」または「しない」を設定して「ＯＫ」ボタン１０３ａを選択すると、それらの設定情報が記憶部２１に記憶される。
【０１３７】
履歴画像作成指示手段２０１は、「イメージログをフォームで判断」が「する」に設定されているか、「しない」に設定されているか、「イメージログをとる」が「とる」に設定されているか、「とらない」に設定されているかを、記憶部２１に記憶されている設定情報を参照して判断する（Ｓ１１）。「イメージログをフォームで判断」が「する」に設定され、「イメージログをとる」が「とる」に設定され、画像データが登録したフォームを含む場合は、それを特定の指示内容有とし（Ｓ１１：Ｙｅｓ）、履歴画像作成指示手段２０１は、履歴画像を作成するように指示する。
【０１３８】
付随情報付加手段２０２は、管理情報および履歴画像作成指示情報を付随情報として付加したジョブファイルを生成する（Ｓ１２）。
【０１３９】
「イメージログをフォームで判断」が「する」に設定され、「イメージログをとる」が「とる」に設定され、画像データが登録したフォームを含まない場合は、それを特定の指示内容無とし（Ｓ１１：Ｎｏ）、履歴画像作成指示手段２０１は、履歴画像を作成しないよう指示する。
【０１４０】
付随情報付加手段２０２は、印刷ジョブに、上記管理情報を付随情報として付加したジョブファイルを生成する（Ｓ１３）。
【０１４１】
ジョブ送信手段２０３は、ジョブファイルを所定の通信プロトコルに従いプリンタ３に送信する（Ｓ１４）。
【０１４２】
プリンタ３のジョブ受信手段３００は、クライアントＰＣ２からのジョブファイルを受信すると（Ｓ２０）、印字出力用イメージ作成手段３０１は、ジョブ内の描画命令を解釈してビットマップデータ等の印字出力用イメージを作成する（Ｓ２１）。
【０１４３】
印字部３２は、印字出力用イメージを記録媒体に印字するセキュリティプリントを行う（Ｓ２２）。履歴画像作成手段３０２は、印刷ジョブの付随情報に履歴画像作成指示情報が含まれているか否かを判断し（Ｓ２３）、含まれている場合は（Ｓ２３：Ｙｅｓ）、履歴画像作成手段３０２は、印字出力用イメージから履歴画像を作成するとともに、履歴画像とその付随情報からなる履歴画像ファイルを作成する（Ｓ２４）。
【０１４４】
履歴画像送信手段３０３は、履歴画像ファイルを所定の通信プロトコルに従いサーバ４に送信する（Ｓ２５）。印刷ジョブの付随情報に履歴画像の作成指示が含まれていない場合は（Ｓ２３：Ｎｏ）、履歴画像の作成を行わずに終了する（Ｓ２６）。
【０１４５】
サーバ４の記憶部４１には、第１の実施の形態と同様に、履歴画像ＩＤが付加された履歴画像ファイル４１１が格納され、管理者の参照に供される。
【０１４６】
なお、上記実施の形態において、「イメージログをフォームで判断」が「する」に設定され、「イメージログをとる」が「とらない」に設定された場合において、画像データが登録したフォームを含まないとき、それを特定の指示内容有とし、履歴画像作成指示手段２０１は、履歴画像を作成するように指示してもよい。また、「イメージログをとる」が「とらない」に設定された場合において、画像データが登録したフォームを含む場合は、それを特定の指示内容無とし、履歴画像作成指示手段２０１は、履歴画像を作成しないように指示してもよい。
【０１４７】
［他の実施の形態］
なお、本発明は、上記各実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【０１４８】
各実施の形態で使用されるプログラムは、ＣＤ−ＲＯＭ等の記録媒体から装置内の記憶部に読み込んでもよく、インターネット等のネットワークに接続されているサーバ等から装置内の記憶部にダウンロードしてもよい。
【０１４９】
また、本実施の形態では、ジョブ生成手段、履歴画像作成指示手段、付随情報付加手段、印字出力用イメージ作成手段、履歴画像作成手段、履歴画像送信手段、ジョブ送信手段を、ＣＰＵとプログラムによって実現したが、それらの一部または全部を特定用途向け集積回路（ＡＳＩＣ：Application Specific IC）等のハードウェアによって実現してもよい。
【図面の簡単な説明】
【０１５０】
【図１】本発明の第１の実施の形態に係る画像処理システムの構成を示すブロック図である。
【図２】本発明の第１の実施の形態に係るクライアントＰＣに表示される印刷設定画面の一例を示す図である。
【図３】本発明の第１の実施の形態に係るクライアントＰＣおよびプリンタの動作を示すフローチャートである。
【図４】本発明の第２の実施の形態に係る画像処理システムの構成を示すブロック図である。
【図５】本発明の第２の実施の形態に係るクライアントＰＣの動作を示すフローチャートである。
【図６】本発明の第３の実施の形態に係る画像処理システムの構成を示すブロック図である。
【図７】本発明の第３の実施の形態に係る複合機の動作を示すフローチャートである。
【図８】本発明の第４の実施の形態に係るクライアントＰＣに表示される印刷設定画面の一例を示す図である。
【図９】本発明の第５の実施の形態に係るクライアントＰＣに表示される印刷設定画面の一例を示す図である。
【図１０】本発明の第５の実施の形態に係るクライアントＰＣに表示される印刷設定画面の一例を示す図である。
【符号の説明】
【０１５１】
１  画像処理システム
２  クライアントＰＣ
３  プリンタ
４  サーバ
５  ネットワーク
７  複合機
２１  記憶部
２２  入力部
２３  表示部
２４  通信Ｉ／Ｆ
３１  記憶部
３２  印字部
３３  通信Ｉ／Ｆ
４１  記憶部
４２  入力部
４３  表示部
７１  記憶部
７２  入力部
７３  表示部
７５，７５ａ，７５ｂ  ジョブ実行部
１００  印刷設定画面
１０１ａ〜１０１ｅ  タブ
１０２  設定項目欄
１０２ａ  項目
１０２ｂ  項目
１０３ａ  「ＯＫ」ボタン
１０３ｂ  「キャンセル」ボタン
１０４  スタンプ設定欄
１０５  チェックボックス
１０６  フォルダ名入力欄
１０７  フォーム名入力欄
１０８  選択欄
１０９  フォーム名記入欄
１１０  選択欄
２００  ジョブ生成手段
２０１  履歴画像作成指示手段
２０２  付随情報付加手段
２０３  ジョブ送信手段
２０４  履歴画像作成手段
２０５  履歴画像送信手段
２１０  アプリケーション
２１１  プリンタドライバ
３００  ジョブ受信手段
３０１  印字出力用イメージ作成手段
３０２  履歴画像作成手段
３０３  履歴画像送信手段
３１０  プリンタ制御プログラム
４００  履歴画像受信手段
４０１  ＩＤ付加手段
４０２  履歴画像格納手段
４１０  サーバ制御プログラム
４１１  履歴画像ファイル
７００  ジョブ生成手段
７０１  履歴画像作成指示手段
７０２  付随情報付加手段
７０３  印字出力用イメージ作成手段
７０４  履歴画像作成手段
７０５  履歴画像送信手段
７１０  アプリケーション
７１１  プリンタドライバ
【図１】
2008123201.tif 000003
【図２】
2008123201.tif 000004
【図３】
2008123201.tif 000005
【図４】
2008123201.tif 000006
【図５】
2008123201.tif 000007
【図６】
2008123201.tif 000008
【図７】
2008123201.tif 000009
【図８】
2008123201.tif 000010
【図９】
2008123201.tif 000011
【図１０】
2008123201.tif 000012